(57)【要約】【課題】施錠と開錠（解錠）が簡単確実で全体の厚さを薄くできる鞄錠を提供する。【解決手段】鞄の蓋部材に配設され嵌合孔４ｂ，４ｃを有する留め金具４と、留め金具が押し当てられる押当面５ａを有する本体ベース５と、回動可能に配設され留め金具の嵌合孔に係脱可能に嵌合する摘み１２と、施錠位置とその係止を解除する開錠位置とに回動させるように構成されると共に、摘みを施錠位置に回動するように付勢される係止部を有するロータ１３と、ロータの施錠位置への回動を阻止して開錠位置に保持するトリガストッパ２０と、本体ベースの押当面上にて留め金具の幅方向に離間配置されかつ出没可能に突出された複数のトリガ爪２１ａ，２１ｂと、これらトリガ爪とトリガストッパの各一端を取付け押当面に添って水平方向に配設されたトリガ水平軸１９と、を具備し、留め金具が押当面に押し当てられたときにトリガ爪が押当面に没入され、トリガストッパがロータとの係止状態を解除させる方向にトリガ水平軸を回動させるように構成した。【選択図】  図１
2015158098.tif 000002
【特許請求の範囲】
【請求項１】
鞄の蓋部材に配設され嵌合孔を有する留め金具と、
前記留め金具が押し当てられる押当面、この押当面上に突設されて前記留め金具の嵌合孔に係脱可能に嵌合し頂端面がこの嵌合孔よりも高い嵌合突部及びこの押当面の裏面側に機械室を形成する本体ベースと、
前記嵌合突部の頂端面上に回動軸周りに回動可能に配設され前記留め金具の嵌合孔に係脱可能に嵌合する摘みと、
前記摘みの回動軸に前記機械室内で固定されこの摘みを前記留め金具の嵌合孔に係止される施錠位置とその係止を解除する開錠位置とに回動させるように構成されると共に、前記摘みを施錠位置に回動するように付勢される係止部を有するロータと、
このロータの係止部に係脱可能に係止して、このロータの施錠位置への回動を阻止して開錠位置に保持するトリガストッパと、
前記本体ベースの押当面上にて前記留め金具の幅方向に離間配置されかつ出没可能に突出された複数のトリガ爪と、
これらトリガ爪と前記トリガストッパの各一端を取付け前記押当面に添って水平方向に配設されたトリガ水平軸と、
前記複数のトリガ爪を前記押当面上へ突出させると共に、前記トリガストッパを前記ロータの係止部に係止させるように前記トリガ水平軸の回動を付勢するトリガばねと、
を具備し、
前記留め金具が前記押当面に押し当てられたときに前記トリガ爪が前記押当面に没入され、前記トリガストッパが前記ロータとの係止状態を解除させる方向に前記トリガ水平軸を回動させるように構成したことを特徴とする鞄錠。
【請求項２】
前記機械室に、前記留め金具を吸着する磁石を配設していることを特徴とする請求項１記載の鞄錠。
【請求項３】
前記押当面上に、前記留め金具の幅方向両側面に沿って突出する一対の押当ガイドを形成していることを特徴とする請求項１または２記載の鞄錠。
【発明の詳細な説明】
【技術分野】
【０００１】
本発明の実施形態は、ランドセル等に好適な施錠操作が簡単な鞄錠に関する。
【背景技術】
【０００２】
従来、この種の鞄錠の一例としては、特許文献１，２に記載されたものがある。これらは鞄の蓋部材に配設される掛止板と、鞄本体に配設される錠本体とを具備し、掛止板の嵌合孔を掛止部材に嵌めると、錠本体の表面に突出した制止片が掛止板によって押し込まれて、回動制限片と制止板の係止状態が解除されることにより、掛止部材が回動して施錠されるようになっている。
【０００３】
したがって、掛止板の嵌合孔を掛止部材に嵌めるだけの操作で簡単に施錠できる。
【先行技術文献】
【特許文献】
【０００４】
【特許文献１】実開平４−２８３７６号公報
【特許文献２】特開２００７−７１０１３号公報
【発明の概要】
【発明が解決しようとする課題】
【０００５】
しかしながら、このような従来の鞄錠では、錠本体表面に設けた制止片が１本であるので、掛止板の嵌合孔を掛止部材に嵌める際に、掛止板が掛止部材に対して傾斜して押し当てられる場合には、制止片を掛止板により十分に押し込めないために施錠できない場合がある。
【０００６】
また、制止片は錠本体に対し厚さ方向に往復運動するので、鞄錠全体の厚さが厚くなる、という課題もある。
【０００７】
本発明の実施形態は、施錠と開錠（解錠）が簡単確実で全体の厚さを薄くできる鞄錠を提供することにある。
【課題を解決するための手段】
【０００８】
実施形態は、鞄の蓋部材に配設され嵌合孔を有する留め金具と、留め金具が押し当てられる押当面、この押当面上に突設されて留め金具の嵌合孔に係脱可能に嵌合し頂端面がこの嵌合孔よりも高い嵌合突部及びこの押当面の裏面側に機械室を形成する本体ベースと、嵌合突部の頂端面上に回動軸周りに回動可能に配設され留め金具の嵌合孔に係脱可能に嵌合する摘みと、摘みの回動軸に機械室内で固定されこの摘みを留め金具の嵌合孔に係止される施錠位置とその係止を解除する開錠位置とに回動させるように構成されると共に、摘みを施錠位置に回動するように付勢される係止部を有するロータを具備している。さらに、ロータの係止部に係脱可能に係止して、このロータの施錠位置への回動を阻止して開錠位置に保持するトリガストッパと、本体ベースの押当面上にて留め金具の幅方向に離間配置されかつ出没可能に突出された複数のトリガ爪と、これらトリガ爪とトリガストッパの各一端を取付け押当面に添って水平方向に配設されたトリガ水平軸と、複数のトリガ爪を押当面上へ突出させると共に、トリガストッパをロータの係止部に係止させるようにトリガ水平軸の回動を付勢するトリガばねと、を具備し、留め金具が押当面に押し当てられたときにトリガ爪が押当面に没入され、トリガストッパがロータとの係止状態を解除させる方向にトリガ水平軸を回動させるように構成した。
【発明の効果】
【０００９】
本実施形態によれば、トリガ爪は、錠本体の押当面上において、留め金具の幅方向に複数あるので、仮に、留め金具が錠本体の押当面に対し傾斜している場合でも少なくとも１つのトリガ爪を押し込むことができるので、施錠することができる。
【図面の簡単な説明】
【００１０】
【図１】本実施形態に係る鞄錠の分解斜視図。
【図２】図１で示す鞄錠を装着したランドセルの底部斜視図。
【図３】図１で示す錠本体の嵌合突部を留め金具の嵌合孔内に嵌合させた状態の正面図。
【図４】図１で示す鞄錠の摘みにより留め金具を施錠した状態を示す正面図。
【図５】図３と図４の背面図。
【図６】図１で示す錠本体の開錠時の斜視図。
【図７】図６で示す錠本体の裏面側の機械室を主に示す一部切欠斜視図。
【図８】図１で示す錠本体の開錠（解錠）時の機械室をその天面から裏板側を見たときの平面図。
【図９】図１で示す錠本体の施錠時の斜視図。
【図１０】図９で示す錠本体の裏面側の機械室を主に示す一部切欠斜視図。
【図１１】図１で示す錠本体の施錠時の機械室をその天面から裏板側を見たときの平面図。
【図１２】図１で示す錠本体の押当面に留め金具が傾斜している場合の縦断面図。
【発明を実施するための形態】
【００１１】
以下、本発明の実施形態を図面に基づいて説明する。なお、複数の図面中、同一または相当部分には同一符号を付している。
【００１２】
図１は実施形態に係る鞄錠の分解斜視図、図２はこの鞄錠を装着した鞄の一例としてのランドセルの底部斜視図である。
【００１３】
図２に示すように鞄錠１は、鞄の一例であるランドセル２等に装着される。ランドセル２は、鞄本体２ａとこの鞄本体２ａの底部２ｂと反対側で開口する図示省略の開口部を閉じる蓋部材２ｃを有する。
【００１４】
鞄本体２ａは、ランドセル２をユーザが背負うときに使用する左右一対の肩ベルト２ｄ，２ｅ、ユーザが背負ったときにユーザの背中に接する背板板２ｆ、左右一対の肩ベルト２ｄ，２ｅの下端側に配設された金属製のリング２ｇ，２ｈを支持する回動可能の支持具２ｉ，２ｊ等を配設しており、剛性を有する底部２ｂに錠本体３を配設している。また、蓋部材２ｃの先端部には留め金具４を固着している。
【００１５】
図１にも示すように、留め金具４は、鉄やその合金等により長方形の平板に形成された本体４ａに、横に長い２つの長方形の嵌合孔４ｂ，４ｃをその長手方向に所要の間隔を置いて形成している。
【００１６】
一方、錠本体３は鞄本体２ａの底部２ｂの外面に固着される硬質樹脂製等の本体ベース５を備えている。
【００１７】
本体ベース５は、そのほぼ中央部外面（図１では上面）に、図３，図４に示すように留め金具４が押し当てられる押当面５ａを形成しており、この押当面５ａのほぼ中央部上には、上記留め金具４の嵌合孔４ｂ，４ｃが嵌合される嵌合突部６を一体に突設している。
【００１８】
嵌合突部６は、平面形状が上記留め金具４の嵌合孔４ｂの平面形状とほぼ同形で若干小形の長方形に形成され、その突出高さは留め金具４の本体４ａの板厚による高さよりも若干高くなるように形成されている。
【００１９】
嵌合突部６は、その頂端（図１中上端）中央部から本体ベース５の厚さ方向に貫通する平面円形の軸孔６ａを形成している。
【００２０】
本体ベース５は、嵌合突部６の前面側（図１では右側）の押当面５ａ上に、図中左右一対の爪用挿通孔７ａ，７ｂを形成している。これら爪用挿通孔７ａ，７ｂは、留め金具４の幅方向両端内で所要の間隔を置いて離間配置され、本体ベース５の厚さ方向に貫通している。
【００２１】
さらに、本体ベース５は、押当面５ａの留め金具４の幅方向両端の外側にて、それぞれ図中上方へ突出する所要幅の左右一対の押当ガイド８ａ，８ｂを一体に突設している。
【００２２】
また、本体ベース５は、その長手方向両端部に、この本体ベース５をランドセル２の底部２ｂ外面に固定する一対の支持具２ｉ，２ｊ（図２参照）の軸がランドセル２の内底部側へ貫通する左右一対の挿通孔９ａ，９ｂを穿設している。この支持具２ｉ，２ｊの軸はランドセル２の内底部側で図示しないかしめにより堅く締結、固定される。
【００２３】
図１に示すように本体ベース５は、押当面５ａの裏面側（図１では下面側）に、機械室１０を一体に形成し、本体ベース５の裏面を機械室１０の天面１０ａに形成している。この天面１０ａの反対側（図１では下面側）は開口しており、この開口端には例えば板金等により有底角筒状に形成された裏板１１が配設されて閉じられている。
【００２４】
そして、嵌合突部６上には、その平面形状と大きさがほぼ同一の摘み１２が同心状に配設される。摘み１２は例えば硬質樹脂等により横長の直方体に形成され、留め金具４の嵌合孔４ｂ，４ｃが挿通可能の形状と大きさに形成されている。
【００２５】
また、摘み１２は、その図１中の下面中央部に中実円柱状の回動軸１２ａを同心状に一体に突設している。この回動軸１２ａは、嵌合突部６の軸孔６ａ内を挿通して摘み１２が嵌合突部６の頂端上で回動可能に積み重ねられる。
【００２６】
摘み１２の回動軸１２ａは、嵌合突部６の軸孔６ａ内を挿通して機械室１０内に延伸し、この延伸部を横長矩形の角柱部１２ｂに形成し、この角柱部１２ｂをロータ１３のほぼ中央部の角孔１３ａ内に嵌入して堅く嵌合させることにより、ロータ１３を回動軸１２ａに堅く結合している。
【００２７】
ロータ１３は例えば硬質樹脂等により平面がほほ円形の円板に形成されたロータ本体１３ｂを有し、このロータ本体１３ｂの外周部に、外方にほぼ直角に突出する直角状の係止段部１３ｃを形成している。この係止段部１３ｃの直径方向反対側には凸状の係止部１３ｄを一体に形成している。この係止部１３ｄには、ロータ付勢ばね１４の一端であるリング状の一方の係止端部１４ａが係止される。
【００２８】
ロータ付勢ばね１４は、例えばコイルばねにより構成され、そのコイル両端を所要角度で直線状にそれぞれ延伸させ、その延伸端をリング状に形成して左右一対の係止端部１４ａ，１４ｂに一体に連成している。
【００２９】
ロータ付勢ばね１４は、その一方の係止端部１４ａをロータ１３の係止部１３ｄに係止させて固定し、他方の係止端部１４ｂのリングを、図８や図１１等で示す、例えば小円柱状の係止ポスト１５に嵌合させて係止させ、固定している。係止ポスト１５は機械室１０の図１中上面の天面１０ａに一体に突設されている。すなわち、ロータ１３は、図７，図８で示す開錠（解錠）位置と、図１０，図１１で示す施錠位置間を可逆的に回動し得るように構成されている。
【００３０】
また、図８や図１１等で示すように機械室１０の天面１０ａには平面矩形の磁石１６を機械室１０内に固定するための小円柱状の複数の支持ポスト１７，１７，…を所定の間隔を置いて一体に立設している。
【００３１】
これら支持ポスト１７，１７，…は、矩形の磁石１６の少なくとも３側面に当接して縦横方向に支持し、磁石１６の背面側を後述する裏板１１の背面壁１１ｅ側へ押し付けて支持するようになっている。
【００３２】
さらに、機械室１０の天面１０ａには、ロータ１３の回動を施錠位置で停止させる平面形状がＬ字状のストッパ１８を一体に突設している。
【００３３】
そして、図１，図７，図８，図１０，図１１等で示すように、機械室１０内には、トリガ水平軸１９を配設している。トリガ水平軸１９は、機械室１０の天面１０ａ、すなわち押当面５ａの裏面に対してほぼ平行をなし、かつ水平方向に延在する水平軸１９ａを具備している。
【００３４】
トリガ水平軸１９は水平軸１９ａの軸方向中間部に、トリガストッパ２０を一体または一体的に形成し、このトリガストッパ２０の両側にて、左右一対のトリガ爪２１ａ，２１ｂを一体または一体的に形成している。
【００３５】
さらに、水平軸１９ａには、これらトリガ爪２１ａ，２１ｂの軸方向両外側にて、例えばコイルばねからなる左右一対のトリガばね２２ａ，２２ｂを配設している。
【００３６】
トリガストッパ２０は、その自由先端部に、ロータ１３側（図１では下方）へほぼ直角に突出して、ロータ１３の係止段部１３ｃに係脱可能に係止するＬ字状の係止先端部２０ａを一体に形成している。
【００３７】
左右一対のトリガ爪２１ａ，２１ｂは、その自由先端部に、図１中上方へほぼ直角に突出する爪先端部２１ａ１，２１ｂ１をそれぞれ一体に突設している。これら爪先端部２１ａ１，２１ｂ１の頂端部を、ベース本体５の左右一対の爪用挿通孔７ａ，７ｂをそれぞれ挿通して、図６に示すようにベース本体５の押当面５ａよりも上方へ突出させている。
【００３８】
また、左右一対のトリガ爪２１ａ，２１ｂは、そのＬ字状自由先端部の外側面に、小突起２１ａ２，２１ｂ２を、それぞれ突設している。
【００３９】
左右一対のトリガばね２２ａ，２２ｂは、その軸方向両端部に、その巻回方向前方へそれぞれ直線状に所要長突出する直状係止部２２ａ１と２２ａ２、２２ｂ１と２２ｂ２をそれぞれ形成している。
【００４０】
また、これら一対のトリガばね２２ａ，２２ｂは、そのコイル状本体部を、水平軸１９の軸方向両端部の外周に外嵌し、各対の直状係止部２２ａ１，２２ｂ１を、最寄りの各トリガ爪２１ａ，２１ｂの小突起２１ａ２，２１ｂ２にそれぞれ当接させて係止させている。
【００４１】
一方、各トリガばね２２ａ，２２ｂの他方の直状係止部２２ａ２，２２ｂ２は機械室１０の天面１０ａ、すなわち、押当面５ａの裏面の任意箇所に係止される。
【００４２】
このために、図７，図８に示すように、トリガストッパ２０の係止先端部２０ａがロータ１３の係止段部１３ｃに係止されているときには、左右一対のトリガ爪２１ａ，２１ｂの爪先端部２１ａ１，２１ｂ１が左右一対の爪用挿通孔７ａ，７ｂを挿通して押当面５ａ上に突出する。
【００４３】
そして、図１に示すように、機械室１０の裏板１１は、偏平有底角筒状に形成され、矩形の底板１１ａの四辺には、図１中上方へ立ち上がる正面壁１１ｂ、左右一対の側壁１１ｃ，１１ｄ、背面壁１１ｅをそれぞれ一体に形成している。これら左右一対の側壁１１ｃ，１１ｄには、図中、下方へ立ち下がる左右一対の下部脚１１ｆ，１１ｇをそれぞれ形成している。
【００４４】
また、図８，図１１に示すように、左右一対の側壁１１ｃ，１１ｄは、トリガ水平軸１９の軸方向両端部を回動可能に支持する支持部１１ｈ，１１ｉを設けている。
【００４５】
図１に示すように底板１１ａはその内面のほぼ中央部に、上記摘み１２の回動軸１２ａの円柱状下端部を挿通させる挿通孔を形成した挿通孔ボス部１１ｊを一体に形成している。
【００４６】
摘み１２の回動軸１２ａの下端部は挿通孔ボス部１１ｊの挿通孔を挿通して、図１中下方へ突出し、その突出下端部を図１２に示すようにかしめて、挿通孔ボス部１１ｊの挿通孔よりも大径のリング状のワッシャ２３を固定している。
【００４７】
このために、機械室１０に裏板１１を固定することができる。また、図１２に示すように回動軸１２ａに固定されたワッシャ２３は挿通孔ボス部１１ｊの外底部に回動可能に接するので、回動軸１２ａの図中上方への引抜きが阻止される。
【００４８】
こうして錠本体３が組み上がると、図６，図９に示すように摘み１２が嵌合突部６上で施錠位置と開錠（解錠）位置間をほぼ９０°回動可能に構成される。
【００４９】
次に、このように構成された鞄錠１の作用を説明する。
【００５０】
まず、鞄錠１を開錠する場合は、図６に示すように、錠本体３の摘み１２を指で摘み人力で回動軸１２回りに捻ることにより、嵌合突部６と同様の横向きにする。
【００５１】
このために、図７，図８に示すように、トリガストッパ２０の係止先端部２０ａがロータ１３の係止段部１３ｃに係止される。
【００５２】
これにより、図６に示すようにトリガ水平軸１９が左右一対のトリガばね２２ａ，２２ｂの付勢力方向に付勢されているので、左右一対のトリガ爪２１ａ，２１ｂの爪先端部２１ａ１，２１ｂ１を爪用挿通孔７ａ，７ｂから押当面５ａ上方へ突出させる。
【００５３】
一方、鞄錠１を施錠する場合は、図３に示すように開錠中の錠本体３の押当面５ａ上に、留め金具４を押し当て、留め金具４の図中上方の嵌合孔４ｂ内に嵌合させる。
【００５４】
すると、摘み１２の全体が留め金具４の嵌合孔４ｂの図中上面上に突出すると共に、留め金具４の内面（下面）によりトリガ爪２１ａ，２１ｂの爪先端部２１ａ１，２１ｂ１が押圧される。
【００５５】
このために、トリガ水平軸１９は左右一対のトリガばね２２ａ，２２ｂのばねの復原力により水平軸１９ａの中心軸回りに回動するので、トリガストッパ２０が回動する。その結果、トリガストッパ２０とロータ１３の係止段部１３ｃとの係止状態が解除される。
【００５６】
これにより、ロータ１３がロータ付勢ばね１４のばね復原力により回動軸１２ａの中心軸回りに回動し、図１０，図１１に示すように係止段部１３ｃがストッパ１８に衝当して停止する。その結果、ロータ１３がほぼ９０°回動し、施錠位置で停止する。
【００５７】
このロータ１３の回動は回動軸１２ａにより摘み１２に伝動されるので、図４に示すように摘み１２は留め金具４の嵌合孔４ｂ上でほぼ９０°回動し、縦方向に回動する。このために、留め金具４の横向きの嵌合孔４ｂに対し、摘み１２が縦方向に向くので、留め金具４の錠本体３から取り外すことができない施錠状態となる。
【００５８】
そして、この施錠状態を解除する場合、すなわち、開錠する場合は、縦向きの摘み１２を指で摘み、人力で施錠方向とは逆向きに回動し、図３に示すように摘み１２を横向きにし、留め金具４の横向きの嵌合孔４ｂと同じ向きにする。その結果、留め金具４を錠本体３から取り外すことができる。
【００５９】
すると、再び図６〜図７に示すようにロータ１３が回動軸１２ａの中心軸回りに回動し、トリガストッパ２０の係止先端部２０ａにロータ１３の係止段部１３ｃが係止され、左右一対のトリガ爪２１ａ，２１ｂの爪先端部２１ａ１，２１ｂ１が爪用挿通孔７ａ，７ｂから押当面５ａ上方へ突出する。
【００６０】
したがって、この鞄錠１によれば、錠本体３の押当面５ａ上に、留め金具４を単に押し当てることにより、簡単かつ迅速に施錠することができる。しかも、このとき、留め金具４を磁石１６によっても吸着し固定するので、施錠の確実性の向上を図ることができる。また、施錠した摘み１２を指で摘み、人力で単に開錠位置へ回動させることにより簡単確実に開錠することができる。
【００６１】
そして、この鞄錠１によれば、トリガ爪２１ａ，２１ｂが左右にあるので、図１２に示すように、万一、錠本体３の押当面５ａに押し当てられた留め金具４が幅方向（左右方向）で若干傾いている場合でも、左右一対のトリガ爪２１ａ，２１ｂの一方が留め金具４により押し当てられている場合には施錠することができる。
【００６２】
また、この鞄錠１によれば、トリガストッパ２０とロータ１３との係止状態を解除させる左右一対のトリガ爪２１ａ，２１ｂを、押当面５ａに対しほぼ平行をなし水平方向に配設されたトリガ水平軸１９の中心軸回りの回動により駆動させるので、機械室１０の厚さを薄くできる。その結果、錠本体３の薄型化を図り、美観の向上を図ることができる。
【００６３】
さらに、裏板１１の底板１１ａに、その底板１１ａの内側に突出する挿通孔ボス部１１ｊを設け、この挿通孔ボス部１１ｊの凹部内でワッシャ２３を回動させるので、裏板１１の左右一対の下部脚１１ｆ，１１ｇを削除して、錠本体３の厚さのさらなる薄型化を図ることができる。
【００６４】
なお、上記実施形態では、錠本体３の摘み１２に、留め金具４の図１や図２中上方の嵌合孔４ｂを嵌合させ、施錠する場合について説明したが、本発明はこれに限定されるものではなく、留め金具４の図１や図２中下方の嵌合孔４ｃに嵌合させて施錠ないし開錠をしてもよい。また、上記実施形態では、鞄としてランドセルを用いた場合について説明したが、本発明はこれに限定されるものではなく、鞄本体と蓋部材を有する鞄に適用することができる。さらに、留め金具４を鉄等の金属ではなく、樹脂により形成してもよい。この場合は磁石１６が不要になる。
【００６５】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００６６】
１…鞄錠、２…ランドセル、２ａ…鞄本体、２ｃ…蓋部材、３…錠本体、４…留め金具、４ｂ，４ｃ…留め金具の嵌合孔、５ａ…押当面、６…嵌合突部、７ａ，７ｂ…左右一対の爪用挿通孔、１２…摘み、１３…ロータ、１３ｃ…係止段部、１４…ロータ付勢ばね、１９…トリガ水平軸、１９ａ…水平軸、２０…トリガストッパ。
【図１】
2015158098.tif 000003
【図２】
2015158098.tif 000004
【図３】
2015158098.tif 000005
【図４】
2015158098.tif 000006
【図５】
2015158098.tif 000007
【図６】
2015158098.tif 000008
【図７】
2015158098.tif 000009
【図８】
2015158098.tif 000010
【図９】
2015158098.tif 000011
【図１０】
2015158098.tif 000012
【図１１】
2015158098.tif 000013
【図１２】
2015158098.tif 000014
【手続補正書】
【提出日】平成26年2月27日(2014.2.27)
【手続補正１】
【補正対象書類名】図面
【補正対象項目名】図１１
【補正方法】変更
【補正の内容】
【図１１】
2015158098.tif 000015
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
鞄の蓋部材に配設され嵌合孔を有する留め金具と、
前記留め金具が押し当てられる押当面、この押当面上に突設されて前記留め金具の嵌合孔に係脱可能に嵌合し頂端面がこの嵌合孔よりも高い嵌合突部及びこの押当面の裏面側に機械室を形成する本体ベースと、
前記嵌合突部の頂端面上に回動軸周りに回動可能に配設され前記留め金具の嵌合孔に係脱可能に嵌合する摘みと、
前記摘みの回動軸に前記機械室内で固定されこの摘みを前記留め金具の嵌合孔に係止される施錠位置とその係止を解除する開錠位置とに回動させるように構成されると共に、前記摘みを施錠位置に回動するように弾性的に付勢される係止部を有するロータと、
このロータの係止部に係脱可能に係止して、このロータの施錠位置への回動を阻止して開錠位置に保持するトリガストッパと、
前記本体ベースの押当面上にて前記留め金具の幅方向に離間配置されかつ出没可能に突出された複数のトリガ爪と、
これらトリガ爪と前記トリガストッパの各一端を取付け前記ロータの水平方向側方にて前記押当面に添って水平方向に配設された中心軸回りに回動可能のトリガ水平軸と、
前記複数のトリガ爪を前記押当面上へ突出させると共に、前記トリガストッパを前記ロータの係止部に係止させるように前記トリガ水平軸の回動を付勢するトリガばねと、
を具備し、
前記留め金具が前記押当面に押し当てられたときに前記トリガ爪が前記押当面に没入され、前記トリガストッパが前記ロータとの係止状態を解除させる方向に前記トリガ水平軸を回動させるように構成したことを特徴とする鞄錠。
【請求項２】
前記機械室に、前記留め金具を吸着する磁石を配設していることを特徴とする請求項１記載の鞄錠。
【請求項３】
前記押当面上に、前記留め金具の幅方向両側面に沿って突出する一対の押当ガイドを形成していることを特徴とする請求項１または２記載の鞄錠。
【手続補正２】
【補正対象書類名】明細書
【補正対象項目名】０００８
【補正方法】変更
【補正の内容】
【０００８】
実施形態は、鞄の蓋部材に配設され嵌合孔を有する留め金具と、前記留め金具が押し当てられる押当面、この押当面上に突設されて前記留め金具の嵌合孔に係脱可能に嵌合し頂端面がこの嵌合孔よりも高い嵌合突部及びこの押当面の裏面側に機械室を形成する本体ベースと、前記嵌合突部の頂端面上に回動軸周りに回動可能に配設され前記留め金具の嵌合孔に係脱可能に嵌合する摘みと、前記摘みの回動軸に前記機械室内で固定されこの摘みを前記留め金具の嵌合孔に係止される施錠位置とその係止を解除する開錠位置とに回動させるように構成されると共に、前記摘みを施錠位置に回動するように弾性的に付勢される係止部を有するロータと、このロータの係止部に係脱可能に係止して、このロータの施錠位置への回動を阻止して開錠位置に保持するトリガストッパと、前記本体ベースの押当面上にて前記留め金具の幅方向に離間配置されかつ出没可能に突出された複数のトリガ爪と、これらトリガ爪と前記トリガストッパの各一端を取付け前記ロータの水平方向側方にて前記押当面に添って水平方向に配設された中心軸回りに回動可能のトリガ水平軸と、前記複数のトリガ爪を前記押当面上へ突出させると共に、前記トリガストッパを前記ロータの係止部に係止させるように前記トリガ水平軸の回動を付勢するトリガばねと、を具備し、前記留め金具が前記押当面に押し当てられたときに前記トリガ爪が前記押当面に没入され、前記トリガストッパが前記ロータとの係止状態を解除させる方向に前記トリガ水平軸を回動させるように構成したことを特徴とする鞄錠。
【手続補正３】
【補正対象書類名】明細書
【補正対象項目名】００２７
【補正方法】変更
【補正の内容】
【００２７】
ロータ１３は例えば硬質樹脂等により平面がほぼ円形の円板に形成されたロータ本体１３ｂを有し、このロータ本体１３ｂの外周部に、外方にほぼ直角に突出する直角状の係止段部１３ｃを形成している。この係止段部１３ｃの直径方向反対側には凸状の係止部１３ｄを一体に形成している。この係止部１３ｄには、ロータ付勢ばね１４の一端であるリング状の一方の係止端部１４ａが係止される。
【手続補正４】
【補正対象書類名】明細書
【補正対象項目名】００３３
【補正方法】変更
【補正の内容】
【００３３】
そして、図１，図７，図８，図１０，図１１等で示すように、機械室１０内には、中心軸回りに回動するトリガ水平軸１９をロータ１３の水平方向側方、すなわち横に配設している。トリガ水平軸１９は、機械室１０の天面１０ａ、すなわち押当面５ａの裏面に対してほぼ平行をなし、かつ水平方向に延在する水平軸１９ａを具備している。